(57)【要約】      （修正有）【課題】電解水溶液を用いて水を電気分解して、酸素ガスと水素ガスを発生させ、それらを混合状態で取り出すようにした酸水素混合ガス発生装置において、逆火問題および、酸水素ガスに混入した水蒸気がガス導出経路内で凝縮・結露することによる安定動作および安全上の問題に対して、信頼性の高い酸水素ガス発生装置を提供する。【解決手段】発生ガス導出経路に、水に比較して飽和蒸気圧が十分に低い水溶性物質を溶解させた水溶液８またはその原液を用いた液体バブリング方式の逆火防止装置を設け、さらに乾式逆火防止器を接続することにより、酸水素ガス中の水蒸気・水分を除去し、配管内結露などの問題を生じない、安全性および信頼性の高い酸水素ガス発生装置となる。【選択図】図１
2010126809.tif 000002
【特許請求の範囲】
【請求項１】
電解水溶液を用いて水を電気分解して、酸素ガスと水素ガスを発生させ、それらを混合状態で取り出すようにした酸水素ガス発生装置において、発生させたガスをとりだすガス導出経路に設ける逆火防止装置の構成に関し、水に比較して飽和蒸気圧が十分に低い水溶性物質を溶解させた水溶液またはその原液を用いた液体バブリング方式であることを特徴とする逆火防止装置およびそれを用いた酸水素ガス発生装置。
【請求項２】
請求項１において、該水溶性物質がエチレングリコールまたはプロピレングリコールまたは塩化カルシウムであることを特徴とする逆火防止装置およびそれを用いた酸水素ガス発生装置。
【請求項３】
請求項１において、微粒子を充填した構造の乾式逆火防止器を接続したことを特徴とする逆火防止装置およびそれを用いた酸水素ガス発生装置。
【発明の詳細な説明】
【技術分野】
【０００１】  この発明は、水を電気分解して酸素ガスと水素ガスを発生させ、それらを混合状態で取り出すようにした酸水素混合ガス発生装置およびそれに用いる逆火防止装置の構成と構造に関するものである。そのガスを燃焼させて、溶接や溶断、溶射加工などを行なうことができる。
【背景技術】
【０００２】  水を電気分解して水素と酸素を発生させる方法としては、それぞれのガスを分離した状態で発生させる方法と、それぞれのガスを混合した形態で発生させる方法がある。本発明は、後者の水素と酸素を混合した形態で発生させる酸水素ガス発生装置に関する。【０００３】  水素と酸素との混合ガス発生装置としては、従来から、電解槽内部に複数の電極板を積層し、その間に絶縁部材を挿入介在させて、それぞれの電極板の間を隔離絶縁した構造のものが広く使用されている。ところが、時間の経過とともに、電解槽内の発熱により、電解液の温度上昇とともに、発生さすべき酸水素ガスのほかに水蒸気が多量に混入するようになり、酸水素ガスの純度が低下するだけでなく、その水蒸気がガス導出経路内で凝縮・結露して、計器類の動作不良やガス燃焼用のバーナーの動作不良や逆火の原因となり、安定動作および安全上の問題があった。
【発明の開示】
【発明が解決しようとする課題】
【０００４】  本発明は、従来の水素と酸素との混合ガス発生装置におけるこのような問題を解消して、水素・酸素混合ガスを安定的で安全に発生・利用できる酸水素ガス発生装置を提供するものである。【０００５】  従来では、電解槽で発生させたガスをとりだすガス導出経路に水式逆火防止器を用い、電解槽本体に及ぶ逆火を防止するようにしている。酸水素混合ガスではアセチレンと酸素の組み合わせに比較して、ガスそのものに最初から酸素を含んでいるので燃焼反応がガス供給源に逆流する逆火現象を生じやすい欠点があるので、その対策を十分に施す必要がある。また、電解槽内の発熱により、電解液の温度上昇とともに、発生さすべき酸水素ガスのほかに水蒸気が多量に混入するようになり、酸水素ガスの純度が低下するだけでなく、その水蒸気がガス導出経路内で凝縮・結露して、計器類の動作不良やガス燃焼用のバーナーの動作不良や逆火の原因となり、安定動作および安全上の問題があった。
【課題を解決するための手段】
【０００６】  本発明では、電解水溶液を電気分解して酸素ガスと水素ガスを発生させ、それらを混合状態で取り出すようにした酸水素混合ガス発生装置において、発生させたガスをとりだすガス導出経路に設ける逆火防止装置の構成に関し、水に比較して飽和蒸気圧が十分に低い水溶性物質を溶解させた水溶液またはその原液を用いた液体バブリング方式を採用することを特徴とし、これにより本来の逆火防止機能だけでなく、酸水素ガス中の水蒸気・水分を除去し、結露などの問題を生じない、安全性および信頼性の高い酸水素ガス発生装置を提供するものである。【０００７】  酸水素ガス発生装置は水を電気分解し、水素ガスと酸素ガスの混合ガスを発生させる装置である。水の電気分解は電解液（電解質水溶液・ＫＯＨ、ＮａＯＨ、等）に電気を流すことにより起きる電気化学反応である。陽極（＋）では水酸イオンＯＨ−が反応、電子を電極に放出して酸素分子Ｏ２と水分子が発生する。陰極（−）では水分子が電子を受け取って水酸イオンＯＨ−と水素分子Ｈ２が発生する。この様に水が電気によって水素と酸素に分解され、気体（ガス）として取り出される。本装置での酸水素ガス発生装置は、酸素ガスと水素ガスを分離しないで混合ガス状態として燃料ガスとして取り出される。電解液の電解質は電気を流し易くし、水の電気分解を促進する役割をしている。全体としては水（Ｈ２Ｏ）だけが電気分解によりガスとなって消費され、電解質は分解されることなく残るので、水のみを補給すればよい。本発明では、発生させたガスをとりだすガス導出経路に逆火防止装置を設け、水に比較して飽和蒸気圧が十分に低い水溶性物質を溶解させた水溶液またはその原液を用いた液体バブリング方式を採用することにより、本来の逆火防止機能だけでなく、ガスに対する除湿機能を持たせ、これにより酸水素ガス中の水蒸気・水分を除去し、結露などの問題を生じない、安全性および信頼性の高い酸水素ガス発生装置を提供するものである。【０００８】  商用電源で水を電気分解し酸素と水素を連続的に発生させる装置であるので、わずらわしいガスボンベ等一切不要となり、電源投入ですぐに燃料などに利用できる。酸水素ガス発生装置は水を電気分解し、完全燃焼に必要な酸素自体を含む水素ガス２：酸素ガス１の混合ガスを発生させる装置であり、ガス貯蔵部を設けず、発生させたガスを直ちに利用するので、環境への影響なく、またガス貯蔵部を持たないので爆発の危険性なく、安心して使用することができるようになる。【０００９】  本発明として、酸水素ガス発生装置に用いられる逆火防止装置の構造の実施例を図１に示す。１はステンレス（ＳＵＳ３０４）製の円筒容器であり、本実施例では、内径１６０ｍｍ、高さ４００ｍｍ、管の厚さ５ｍｍであり、上端にフランジが溶接で取り付けられている。２はステンレス円板蓋（ＳＵＳ３０４、厚さ１０ｍｍ）であり、ゴムパッキング３を介してボルトおよびナット４で容器１に密封されるように取り付けられている。５はガス導入管であり、ステンレス円板蓋２を介して容器内部にステンレス管５ａに接続されており、下部はＬ型としてあり、その部分に数個の穴（φ１ｍｍ程度）があけられており、導入ガスが泡状となる（バブリング）ようにしている。��はガス導出部である。７は液面計であり、液面を確認するための透明チューブでできている。【００１０】  ここで、８は本発明に関わる水溶液であり、ここではエチレングリコール：水＝２：１の割合のものを用いた（エチレングリコール１００％を用いても良い）。エチレングリコール水溶液は自動車のエンジン冷却用の不凍液として入手可能である。不凍液は防錆剤などが添加されているが問題がない。エチレングリコールは沸点が約２００℃であり、常温では蒸気圧が十分に低く、その水溶液は混合モル比率に応じて水の蒸気圧を著しく低下させる。これはラウール（Ｒａｏｕｌｔ）の法則として知られている。水の蒸気圧の低下はこの水溶液が除湿効果を持つことを意味する。また水の蒸気圧の低下は沸点の上昇を意味するが、これは熱力学の状態図で説明されるように、凍結温度（凝固点）の低下と直接関連している。このため不凍液を除湿剤としても利用することができるのである。不凍液の利用は寒冷環境での装置運用にも好都合である。エチレングリコールの代わりにプロピレングリコールを用いることもできる。同様に塩化カルシウムも除湿効果を有し、除湿目的に利用できるが、容器の腐食などの問題があり、若干利用しにくい。９は液滴除去フィルタであり、泡状のガスがはじける際に生じる微小液滴を除去するためのものである。メッシュ状およびスポンジ状のステンレスでできている。【００１１】  図２は、本発明の逆火防止装置に接続して使用することにより、さらに安全性および信頼性を高めるための乾式逆火防止器の断面構造を示すものである。２１はフランジ付きのステンレス円筒容器であり、本実施例では内径１００ｍｍ、高さ１２０ｍｍのものを用いた。２２はステンレス蓋である。２３は密封用のゴムパッキングであり、周辺はボルトとナット２４で密封固定されている。２５はガス導入口であり、２６はガス導出口である。２７は格子状のステンレスに目の細かいメッシュを貼った仕切り板である。２８は粒径０．１−０．２ｍｍの微粒子を充填したもの（砂）である。２９はステンレス繊維（リボン状）を充填し、砂状微粒子を押さえて移動しないようにするとともに、ガスが導出口に導かれやすくするようにしている。このようにして、ガス導出口からの逆火は２９と２８によって阻止される。ガスは微粒子間の狭い隙間を通ってくるため、燃焼反応は２８で完全に消滅してしまう。また、充填微粒子は水分の除去にも効果がある。従来のアセチレンや酸素の場合では小型の逆火防止器が用いられているが、酸水素ガスでは性能が十分ではなく、信頼性に問題があったが、本発明の乾式逆火防止器の採用により信頼性が著しく高まる。【００１２】  図３は、酸水素ガス発生装置の全体を示す。図３Ａは平面図、図３Ｂは正面図である。図３Ａの３１は電解槽であり、発生した酸水素ガスは、ガスホース配管により、本発明の逆火防止装置３２（図１のもの）および乾式逆火防止器３３（図２のもの）を経て、ガス出力３４となる。３５は消費した水を補給するための水タンクであり、圧力ポンプ３６により電解槽３１に水が補給される。水タンクと水道栓を切り替えで併用してもよい。電解槽３１の液面モニターを用いることのより、自動給水もできるようにした。３７は電解��や直流電源の発熱に対する冷却ファンである。３８は商用電源２００Ｖ，３相、５０Ａへの接続端子である。  図３Ｂの３９は直流電源であり、スイッチング電源方式のものを採用しており、容量５０Ｖ，２００Ａのものを用いている。スイッチング電源方式のものは、小型、軽量で大容量という長所がある。この電源は定電圧定電流制御方式であり、一定ガス発生条件に対しては定電流動作モードを適用でき、使いやすい。４０は制御盤であり、電源のＯＮ，ＯＦＦの操作および電解槽３１内のガス圧力をモニターして、設定ガス圧力を維持するように直流電源３９を制御する。圧力０−０．５ＭＰａで制御できるようにした。また、電解槽には安全弁を設け、さらに電解槽の温度を監視し、安全動作を確保するようにしている。
【発明の効果】
【００１３】  以上説明したように、本発明は、電解槽で発生させたガスをとりだすガス導出経路に逆火防止装置を設け、その構成において、水に比較して飽和蒸気圧が十分に低い水溶性物質を溶解させた水溶液またはその原液を用いた液体バブリング方式を採用することにより、本来の逆火防止機能だけでなく、ガスに対する除湿機能を持たせ、発生させた酸水素ガス中の水蒸気・水分を除去し、配管内結露などの問題を生じない、安全性および信頼性の高い酸水素ガス発生装置を提供するものである。また本発明は寒冷環境での装置運用にも好都合である。
【図面の簡単な説明】
【００１４】
【図１】本発明の一実施例を示す液式逆火防止装置の断面図である。
【図２】本発明に接続して好適の乾式逆火防止器の断面図である。
【図３】本発明酸水素ガス発生装置の一実施例の平面図および正面図である。
【符号の説明】
【００１５】１  ステンレス容器
２  ステンレス円板蓋
３  ゴムパッキング
４  ボルトおよびナット
５  ガス導入部
５ａ  ステンレス管
６  ガス導出部
７  液面計
８  水溶液
９  液滴除去フィルタ
２１  ステンレス容器
２２  ステンレス蓋
２３  ゴムパッキング
２４  ボルトおよびナット
２５  ガス導入口
２６  ガス導出口
２７  メッシュ状仕切り板
２８  充填微粒子（砂）
２９  充填ステンレス繊維
３１  電解槽
３２  図１に示す逆火防止装置
３３  図２に示す逆火防止器
３４  ガス出力
３５  水タンク
３６  圧力ポンプ
３７  冷却ファン
３８  電源２００Ｖ，３相への接続端子
３９  直流電源
４０  制御盤
【図１】
2010126809.tif 000003
【図２】
2010126809.tif 000004
【図３】
2010126809.tif 000005